(57)【要約】【課題】昼間時間帯に発電する余剰電力を温水の加熱に用いることができる給湯装置を提供する。【解決手段】貯湯タンク１０と、貯湯タンク１０内の湯水を加熱する加熱装置２０と、制御装置３０と、を備え、制御装置３０は、加熱装置２０が貯湯タンク１０内の湯水を加熱する、沸き上げ運転モード３４を有し、沸き上げ運転モード３４は、加熱装置２０が他の機器５２が発電する電力を活用して、昼間時間帯に沸き上げ運転を実行する昼間時間帯モード３４Aを含むことを特徴とする。【選択図】        図１
2018189347.tif 000002
【特許請求の範囲】
【請求項１】
貯湯タンクと、前記貯湯タンク内の湯水を加熱する加熱装置と、制御装置と、を備え、
前記制御装置は、前記加熱装置が前記貯湯タンク内の前記湯水を加熱する、沸き上げ運転モードを有し、
前記沸き上げ運転モードは、前記加熱装置が他の機器が発電する電力を活用して、昼間時間帯に沸き上げ運転を実行する昼間時間帯モードを含むことを特徴とする給湯装置。
【請求項２】
前記昼間時間帯モードが実行される、運転開始時刻、運転終了時刻、又は運転実行時間のうち、少なくともいずれかを、使用者が設定できる操作手段を備えたことを特徴とする請求項１に記載の給湯装置。
【請求項３】
前記昼間時間帯モードで沸き上げる湯量は、使用湯量履歴に基づいて決定されることを特徴とする請求項１又は請求項２に記載の給湯装置。
【請求項４】
前記沸き上げ運転モードは、深夜時間帯に前記沸き上げ運転を実行する深夜時間帯モードを含み、
前記昼間時間帯モードと前記深夜時間帯モードとで沸き上げる前記湯量の配分は、前記使用湯量履歴に基づいて決定されることを特徴とする請求項３に記載の給湯装置。
【請求項５】
前記昼間時間帯モードにて沸き上げる前記湯量を、前記使用湯量履歴に基づいて決定された前記湯量以下としたことを特徴とする請求項３又は請求項４に記載の給湯装置。
【請求項６】
前記昼間時間帯モードにて沸き上げる前記湯量は、前記使用湯量履歴に基づいて決定される湯量未満としたことを特徴とする請求項３又は請求項４に記載の給湯装置。
【請求項７】
前記制御装置は、前記沸き上げ運転モードの前記沸き上げ運転を禁止する禁止モードを有し、
前記禁止モードが動作しても、前記昼間時間帯モードは実行されることを特徴とする請求項１から請求項６のいずれか１項に記載の給湯装置。
【請求項８】
前記禁止モードとして、少なくとも第１禁止モードと第２禁止モードとを有し、
前記第１禁止モードについては、前記昼間時間帯モードが実行され、
前記第２禁止モードについては、前記昼間時間帯モードが実行されない
ことを特徴とする請求項７に記載の給湯装置。
【請求項９】
前記加熱装置を、ヒートポンプ装置としたことを特徴とする請求項１から請求項８のいずれか１項に記載の給湯装置。
【請求項１０】
前記他の機器を、太陽光発電装置としたことを特徴とする請求項１から請求項９のいずれか１項に記載の給湯装置。
【請求項１１】
ネットワーク送受信機が、インターネット等の通信網から天気予報情報を取得し、前記取得した天気予報情報に基づいて判断した前記太陽光発電装置による太陽光発電の実行の判定情報、又は前記加熱装置に関する運転情報を、前記制御装置又は操作手段が受信することを特徴とする請求項１０に記載の給湯装置。
【発明の詳細な説明】
【技術分野】
【０００１】
本発明は、沸き上げ運転モードを有する給湯装置に関する。
【背景技術】
【０００２】
特許文献１は使用湯量のみならず、電力の需要バランスを考慮して沸き上げ運転が行える給湯装置を開示している。
【先行技術文献】
【特許文献】
【０００３】
【特許文献１】特許第５９５７６９０号公報
【発明の概要】
【発明が解決しようとする課題】
【０００４】
特許文献１によれば、ピークカット運転モードを、電力需給バランスを考慮したモードとすることで、使用湯量のみならず、電力の需要バランスに基づいた運転が行える。
ところで、昨今の住宅事情により、太陽光発電の普及が進み、太陽光での発電した電力を使用したいという要望がある。
また、太陽光発電において住宅用太陽光発電を導入する際に、１０年間の電力買取期間の終了が迫っており、売電価格が深夜電力価格を下回った場合には、売電よりも太陽光発電による昼間電力の自家消費の要望が考えられる。
【０００５】
そこで本発明は、昼間時間帯に発電する余剰電力を温水の加熱に用いることができる給湯装置を提供することを目的とする。
【課題を解決するための手段】
【０００６】
請求項１記載の本発明の給湯装置は、貯湯タンクと、前記貯湯タンク内の湯水を加熱する加熱装置と、制御装置と、を備え、前記制御装置は、前記加熱装置が前記貯湯タンク内の前記湯水を加熱する、沸き上げ運転モードを有し、前記沸き上げ運転モードは、前記加熱装置が他の機器が発電する電力を活用して、昼間時間帯に沸き上げ運転を実行する昼間時間帯モードを含むことを特徴とする。
請求項２記載の本発明の給湯装置は、請求項１に記載の給湯装置において、前記昼間時間帯モードが実行される、運転開始時刻、運転終了時刻、又は運転実行時間のうち、少なくともいずれかを、使用者が設定できる操作手段を備えたことを特徴とする。
請求項３記載の本発明の給湯装置は、請求項１又は請求項２に記載の給湯装置において、前記昼間時間帯モードで沸き上げる湯量は、使用湯量履歴に基づいて決定されることを特徴とする。
請求項４記載の本発明の給湯装置は、請求項３に記載の給湯装置において、前記沸き上げ運転モードは、深夜時間帯に前記沸き上げ運転を実行する深夜時間帯モードを含み、前記昼間時間帯モードと前記深夜時間帯モードとで沸き上げる前記湯量の配分は、前記使用湯量履歴に基づいて決定されることを特徴とする。
請求項５記載の本発明の給湯装置は、請求項３又は請求項４に記載の給湯装置において、前記昼間時間帯モードにて沸き上げる前記湯量を、前記使用湯量履歴に基づいて決定された前記湯量以下としたことを特徴とする。
請求項６記載の本発明の給湯装置は、請求項３又は請求項４に記載の給湯装置において、前記昼間時間帯モードにて沸き上げる前記湯量は、前記使用湯量履歴に基づいて決定される湯量未満としたことを特徴とする。
請求項７記載の本発明の給湯装置は、請求項１から請求項６のいずれか１項に記載の給湯装置において、前記制御装置は、前記沸き上げ運転モードの前記沸き上げ運転を禁止する禁止モードを有し、前記禁止モードが動作しても、前記昼間時間帯モードは実行されることを特徴とする。
請求項８記載の本発明の給湯装置は、請求項７に記載の給湯装置において、前記禁止モードとして、少なくとも第１禁止モードと第２禁止モードとを有し、前記第１禁止モードについては、前記昼間時間帯モードが実行され、前記第２禁止モードについては、前記昼間時間帯モードが実行されないことを特徴とする。
請求項９記載の本発明の給湯装置は、請求項１から請求項８のいずれか１項に記載の給湯装置において、前記加熱装置を、ヒートポンプ装置としたことを特徴とする。
請求項１０記載の本発明の給湯装置は、請求項１から請求項９のいずれか１項に記載の給湯装置において、前記他の機器を、太陽光発電装置としたことを特徴とする。
請求項１１記載の本発明の給湯装置は、請求項１０に記載の給湯装置において、ネットワーク送受信機が、インターネット等の通信網から天気予報情報を取得し、前記取得した天気予報情報に基づいて判断した前記太陽光発電装置による太陽光発電の実行の判定情報、又は前記加熱装置に関する運転情報を、前記制御装置又は操作手段が受信することを特徴とする。
【発明の効果】
【０００７】
本発明によれば、昼間時間帯モードによって、昼間時間帯に発電する余剰電力を温水の加熱に用いることができる。
【図面の簡単な説明】
【０００８】
【図１】本発明の一実施例による給湯装置の構成図
【図２】同給湯装置の動作説明図
【発明を実施するための形態】
【０００９】
本発明の第１の実施の形態による給湯装置は、沸き上げ運転モードが、加熱装置が他の機器が発電する電力を活用して、昼間時間帯に沸き上げ運転を実行する昼間時間帯モードを含むものである。本実施の形態によれば、昼間時間帯モードによって、昼間時間帯に発電する余剰電力を温水の加熱に用いることができる。
【００１０】
本発明の第２の実施の形態は、第１の実施の形態による給湯装置において、昼間時間帯モードが実行される、運転開始時刻、運転終了時刻、又は運転実行時間のうち、少なくともいずれかを、使用者が設定できる操作手段を備えたものである。本実施の形態によれば、使用者の設定によって昼間時間帯モードを実行することができる。
【００１１】
本発明の第３の実施の形態は、第１又は第２の実施の形態による給湯装置において、昼間時間帯モードで沸き上げる湯量が、使用湯量履歴に基づいて決定されるものである。本実施の形態によれば、使用者が実際に使用した湯量から昼間時間帯モードで沸き上げる湯量を決定するため、最適な湯量を沸き上げることができる。
【００１２】
本発明の第４の実施の形態は、第３の実施の形態による給湯装置において、沸き上げ運転モードが、深夜時間帯に沸き上げ運転を実行する深夜時間帯モードを含み、昼間時間帯モードと深夜時間帯モードとで沸き上げる湯量の配分が、使用湯量履歴に基づいて決定されるものである。本実施の形態によれば、例えば、使用者が実際に使用した湯量から昼間時間帯モードで設定された湯量を引いて夜間時間帯モードで沸き上げる湯量を決定することで、最適な湯量を沸き上げることができる。
【００１３】
本発明の第５の実施の形態は、第３又は第４の実施の形態による給湯装置において、昼間時間帯モードにて沸き上げる湯量を、使用湯量履歴に基づいて決定された湯量以下としたものである。本実施の形態によれば、例えば、昼間時間帯モードで設定された湯量が、使用者が実際に使用した湯量より多く設定された場合には、昼間時間帯モードでは、設定された湯量ではなく、使用湯量履歴に基づいて決定された湯量以下とすることで、無駄な沸き上げ運転を無くすことができる。
本発明の第６の実施の形態は、第３又は第４の実施の形態による給湯装置において、昼間時間帯モードにて沸き上げる湯量を、使用湯量履歴に基づいて決定された湯量未満としたものである。本実施の形態によれば、例えば、昼間時間帯モードで設定された湯量が、使用者が実際に使用した湯量より多く設定された場合には、昼間時間帯モードでは、設定された湯量ではなく、使用湯量履歴に基づいて決定された湯量未満（使用湯量履歴に基づいて決定された湯量の１００％は沸き上げない）とすることで、夜間に必要最小量の湯量を沸き上げることとなり、朝から昼間までの多少の突発的な使用者の使用湯量にも湯切れすることなく対応できる。無駄な沸き上げ運転を無くすことができる。
【００１４】
本発明の第７の実施の形態は、第１から第６のいずれかの実施の形態による給湯装置において、制御装置が、沸き上げ運転モードの沸き上げ運転を禁止する禁止モードを有し、禁止モードが動作しても、昼間時間帯モードは実行されるものである。本実施の形態によれば、沸き上げを禁止する禁止モードに設定されていても、昼間時間帯モードによって昼間沸き上げ運転を行わせることで、昼間時間帯に発電する余剰電力を温水の加熱に用いることができる。
【００１５】
本発明の第８の実施の形態は、第７の実施の形態による給湯装置において、禁止モードとして、少なくとも第１禁止モードと第２禁止モードとを有し、第１禁止モードについては、昼間時間帯モードが実行され、第２禁止モードについては、昼間時間帯モードが実行されないものである。本実施の形態によれば、複数の禁止モードを有する場合に、昼間時間帯モードが禁止モードに優先する場合と、禁止モードが昼間時間帯モードに優先する場合とを設けることで、昼間時間帯に発電する余剰電力を温水の加熱に用いることができるとともに、例えば電力の需要バランスを優先させることができる。
【００１６】
本発明の第９の実施の形態は、第１から第８のいずれかの実施の形態による給湯装置において、加熱装置をヒートポンプ装置としたものである。本実施の形態によれば、電力を有効に利用することができる。
【００１７】
本発明の第１０の実施の形態は、第１から第９のいずれかの実施の形態による給湯装置において、他の機器を太陽光発電装置としたものである。本実施の形態によれば、太陽光発電による電力を有効に利用することができる。
【００１８】
本発明の第１１の実施の形態は、第１０の実施の形態による給湯装置において、ネットワーク送受信機が、インターネット等の通信網から天気予報情報を取得し、取得した天気予報情報に基づいて判断した太陽光発電装置による太陽光発電の実行の判定情報、又は加熱装置に関する運転情報を、制御装置又は操作手段が受信するものである。本実施の形態によれば、天気予報情報にもとづいて、太陽光発電による電力を有効に利用することができる。
【実施例】
【００１９】
以下、本発明の一実施例について図面を参照しながら説明する。
図１は本実施例による給湯装置の構成図である。
本実施例による給湯装置は、貯湯タンク１０と、貯湯タンク１０内の湯水を加熱する加熱装置２０と、加熱装置２０を制御する制御装置３０と、使用者が制御装置３０での制御方法を設定できる操作手段４０とを備えている。
【００２０】
貯湯タンク１０の湯水は、貯湯タンク１０の底部から導出し、沸き上げ配管１１を通じて加熱装置２０に通水され、加熱装置２０で高温に沸き上げられた後に貯湯タンク１０の上部から導入され、貯湯タンク１０に貯湯される。高温に沸き上げられた貯湯タンク１０内の湯水は、給湯栓１２が開栓されると、混合弁１３によって給水配管１４からの給水と所定温度に混合されて給湯栓１２から給湯される。
給湯栓１２から給湯されることによって貯湯タンク１０内で不足する湯水は、貯湯タンク１０の底部に接続した給水配管１４から供給され、貯湯タンク１０内は常に湯水で満たされている。
貯湯タンク１０から給湯栓１２に至る給湯配管１５には、給湯栓１２に供給する湯量を検知する給湯流量検知手段１６を備えている。
【００２１】
加熱装置２０は、商用電源５１から供給される電力以外に、他の機器５２が発電する電力を活用できる。
加熱装置２０には、圧縮機、放熱器、減圧器、及び蒸発器から構成されるヒートポンプ装置が適している。ヒートポンプ装置を加熱装置２０として用いる場合には、放熱器での放熱を加熱源として利用する。加熱装置２０をヒートポンプ装置とすることで、電力を有効に利用することができる。
他の機器５２には太陽光発電装置が適している。他の機器５２からの電力はパワーコンディショナー５３で交流に変換され、分電盤５４を介して制御装置３０に供給される。他の機器５２を太陽光発電装置とすることで、太陽光発電による電力を有効に利用することができる。なお、太陽光発電装置は、太陽電池モジュールであるが、太陽電池モジュールで発電された電力を蓄えた蓄電ユニットでもよい。
制御装置３０又はリモコン等の操作手段４０は、ネットワーク送受信機６１（例えば、ＨＥＭＳ（Ｈｏｍｅ  Ｅｎｅｒｇｙ  Ｍａｎａｇｅｍｅｎｔ  Ｓｙｓｔｅｍ）（ホーム  エネルギー  マネジメント  システム））と接続されていることが好ましい。ネットワーク送受信機６１は、インターネット等の通信網６２から天気予報情報を取得のうえ、それに基づいて判断した太陽光発電装置による太陽光発電の実行の可否の判定情報、又は加熱装置２０に関する運転情報を、制御装置３０又は操作手段４０に送信する。
【００２２】
制御装置３０は、タイマー手段３１と、使用湯量記憶手段３２と、運転モード判断手段３３とを備えている。
タイマー手段３１は時間を計時し、タイマー手段３１によって年月日及び時刻を判定できる。従って、昼間時間帯や深夜時間帯は、タイマー手段３１によって判定する。昼間時間帯と深夜時間帯とは、あらかじめ設定される他、操作手段４０での操作によって、又はネットワーク送受信機６１で受信した情報によって変更されるものであってもよい。例えば、昼間時間帯は７時から２３時までと、深夜時間帯は２３時から７時までと設定する。
使用湯量記憶手段３２は、給湯流量検知手段１６で検知される湯量を、タイマー手段３１で計時される時刻とともに記憶する。使用湯量記憶手段３２には、１日分、１週間分、１ヶ月分、及び１年分のような所定期間における時間帯別の湯量を、使用湯量履歴として記憶している。
運転モード判断手段３３は、操作手段４０によって指示された設定モードや使用湯量記憶手段３２に記憶された使用湯量履歴によって沸き上げ運転モード３４を設定する。
【００２３】
沸き上げ運転モード３４として、例えば、昼間時間帯モード３４Ａ、深夜時間帯モード３４Ｂ、ピークカットモード３４Ｃ、及び停止モード３４Ｄを有している。
昼間時間帯モード３４Ａでは、昼間時間帯に沸き上げ運転を実行する。昼間時間帯モード３４Ａによって、加熱装置２０が他の機器５２が発電する電力を活用できるため、昼間時間帯に他の機器５２が発電する余剰電力を温水の加熱に用いることができる。
例えば、インターネット等の通信網６２から受信した天気予報情報が雨天の場合、ネットワーク送受信機６１は、太陽光発電装置による太陽光発電の実行に適さないと判断し、太陽光発電装置による太陽光発電の実行は否と判定する。また、インターネット等の通信網６２から受信した天気予報情報が晴天の場合、太陽光発電装置による太陽光発電の実行に適すると判断し、太陽光発電装置による太陽光発電の実行は可と判定する。
そして、他の機器５２である太陽光発電装置による実行が否の判定の場合には、制御装置３０は、加熱装置２０が供給電源を利用した通常の沸き上げ運転（深夜時間帯モード３４Ｂ）を自動的に実行するようにする。また、他の機器５２である太陽光発電装置による実行が可の判定の場合には、制御装置３０は、加熱装置２０が、太陽光発電装置が発電する電力を活用した沸き上げ運転を自動的に実行するようにする（昼間時間帯モード３４Ａ）。
なお、この場合、ネットワーク送受信機６１は、インターネット等の通信網６２から天気予報情報を取得のうえ、それに基づいて、加熱装置２０に太陽光発電装置が発電する電力を活用する沸き上げ運転（昼間時間帯モード３４Ａ）を実行させるか、あるいは、加熱装置２０に供給電源を利用した通常の沸き上げ運転（深夜時間帯モード３４Ｂ）を実行させるかを判断し、その加熱装置２０に実行させる沸き上げ運転に関する運転情報を、制御装置３０または操作手段４０に送信し、制御装置３０または操作手段４０が受信したその運転情報に基づいて、制御装置３０が、加熱装置２０の運転動作を自動的に制御するようにしてもよい。
なお、昼間時間帯モード３４Ａの実行は、使用者が操作手段４を用いて設定できるようにしてもよく、操作手段４０では、少なくとも昼間時間帯モード３４Ａの運転開始時刻、運転終了時刻、又は運転実行時間のいずれかを少なくとも設定できる。
昼間時間帯モード３４Ａで沸き上げる湯量は、使用湯量履歴に基づいて決定される。使用者が実際に使用した湯量から昼間時間帯モード３４Ａで沸き上げる湯量を決定するため、最適な湯量を沸き上げることができる。
制御装置３０又は操作手段４０は、ネットワーク送受信機６１から受信した天気予報情報に基づいて判断された昼間時間帯モード３４Ａの実行の可否の判定情報に基づいて、例えば、以下のような動作を行う。なお、天気予報情報に基づいて判断された昼間時間帯モード３４Ａの実行の可否の判定情報とは、太陽光発電装置による太陽光発電の実行の判断情報、または、加熱装置２０に実行させる沸き上げ運転に関する運転情報である。
すなわち、使用者により昼間時間帯モード３４Ａが設定されている状態において、受信した情報が昼間時間帯モード３４Ａの実行否の判定により、昼間時間帯に余剰電力が発生しない場合には、昼間時間帯モード３４Ａの実行を停止するようにしてもよい。
あるいは、使用者により昼間時間帯モード３４Ａが設定されていない状態において、受信した情報が昼間時間帯モード３４Ａの実行可の判定の場合には、自動的に昼間時間帯モード３４Ａを実行するようにしてもよい。
さらには、昼間時間帯モード３４Ａが設定されていない状態において、受信した情報が昼間時間帯モード３４Ａの実行可の判定の場合には、昼間時間帯モード３４Ａの設定の使用者への推奨を操作手段４０に表示するようにしてもよい。
また、受信した情報が昼間時間帯モード３４Ａの実行否の判定の場合には、昼間時間帯モード３４Ａの設定の使用者への抑制を操作手段４０に表示したりするようにしてもよい。すなわち、昼間時間帯モード３４Ａの実行の可否の判定の情報を、使用者に報知するようにしてもよい。
なお、使用者は、ネットワーク送受信機６１からの昼間時間帯モード３４Ａの実行の可否の判定情報を参考にして、操作手段４０にて設定するのみで、昼間時間帯モード３４Ａの運転開始時刻又は運転終了時刻又は運転実行時間のいずれかを設定することができ、また、制御装置３０や操作手段４０と他の機器５２とが直接情報を介することなく運転を実行できるため、使用性を向上できるものである。
【００２４】
深夜時間帯モード３４Ｂでは、深夜時間帯に沸き上げ運転を実行する。深夜時間帯は、電力需要が少ないため、深夜時間帯モード３４Ｂによって電力消費時間帯の分散を図ることができる。深夜時間帯モード３４Ｂで沸き上げる湯量は、使用湯量履歴に基づいて決定される。使用者が実際に使用した湯量から深夜時間帯モード３４Ｂで沸き上げる湯量を決定するため、最適な湯量を沸き上げることができる。
【００２５】
ピークカットモード３４Ｃでは、電力需要が極めて大きな季節及び時間帯での沸き上げ運転を行わない。ピークカットモード３４Ｃで沸き上げを禁止する季節及び時間帯は、あらかじめ設定される他、操作手段４０での操作によって、又はネットワーク送受信機６１で受信した情報によって変更されるものであってもよい。ピークカットモード３４Ｃでは沸き上げ運転を停止し、その沸き上げを停止した分、使用者の使用湯量が減る。ピークカットモード３４Ｃでは、沸き上げを停止して減った分、禁止された時間帯以外の時間帯に沸き上げ運転をシフトすることで使用湯量を補ってもよい。
【００２６】
停止モード３４Ｄでは、沸き上げ運転を、設定した期間停止する。例えば旅行などで不在となる場合には、停止開始日と停止期間を設定することで、設定した期間、沸き上げ運転が実行されない。
【００２７】
ピークカットモード３４Ｃ及び停止モード３４Ｄは、沸き上げ運転モード３４の沸き上げ運転を禁止する禁止モードである。なお、本実施例では、ピークカットモード３４Ｃと停止モード３４Ｄとを禁止モードとして説明するが、特に昼間時間帯における沸き上げ運転を禁止する機能を有するモードであれば、他の禁止機能を有するものであってもよい。
ピークカットモード３４Ｃを第１禁止モード、停止モード３４Ｄを第２禁止モードとして以下に説明する。
第１禁止モードであるピークカットモード３４Ｃが設定され、更に昼間時間帯モード３４Ａが設定され、昼間時間帯モード３４Ａによる設定時間帯がピックカットモード３４Ｃで停止期間に設定されている場合には、第１禁止モードが動作しても、昼間時間帯モード３４Ａは実行される。
このように、沸き上げを禁止する第１禁止モードに設定されていても、昼間時間帯モード３４Ａによって昼間沸き上げ運転を行わせることで、昼間時間帯に発電する余剰電力を温水の加熱に用いることができる。
第２禁止モードである停止モード３４Ｄが設定され、更に昼間時間帯モード３４Ａが設定され、昼間時間帯モード３４Ａによる設定時間帯が停止モード３４Ｄで停止期間に設定されている場合には、昼間時間帯モード３４Ａは実行されない。
このように、複数の禁止モードを有する場合に、昼間時間帯モード３４Ａが禁止モードに優先する場合と、禁止モードが昼間時間帯モード３４Ａに優先する場合とを設けることで、昼間時間帯に発電する余剰電力を温水の加熱に用いることができるとともに、例えば電力の需要バランスを優先させることができる。
また、普段は沸き上げを禁止する第１禁止モードを常に設定されていて、日々の電力ピークを抑制しながら余剰電力を温水の加熱に使用している場合においても、例えば、長期不在となる場合には、第２禁止モードである停止モード３４Ｄを設定するだけで、昼間時間帯モード３４Ａは実行されないため、使用者が操作手段４０にて、昼間時間帯モード３４Ａの解除を行う必要がないため、使用性を向上できる。
【００２８】
なお、昼間時間帯モード３４Ａ、深夜時間帯モード３４Ｂ、ピークカットモード３４Ｃ、及び停止モード３４Ｄは、操作手段４０での操作によって使用者が設定するものであるが、ネットワーク送受信機６１で受信した情報によって変更されるものであってもよい。
【００２９】
図２は本実施例による給湯装置の動作説明図である。
図２（ａ）は、給湯の使用例を示している。例えば、図２（ａ）に示すように、１９時から２３時まで、７時、及び１２時に使用する。
図２（ｂ）は貯湯タンク１０の湯水の状態を、図２（ｃ）は加熱装置２０の運転時間帯を示している。
【００３０】
図２（ｃ）に示す運転状態Ａは、深夜時間帯モード３４Ｂで沸き上げ運転を実行した場合を示している。
深夜時間帯モード３４Ｂでは、図２（ｃ）に示す深夜時間帯に、使用湯量履歴に基づいて決定される湯量を沸き上げる。図２（ｃ）に示す深夜時間帯（１９時）の沸き上げ運転は、貯湯タンク１０内の残湯量及び／又は使用湯量履歴から判断され、適宜行われる。
【００３１】
図２（ｄ）に示す運転状態Ｂは、昼間時間帯モード３４Ａで沸き上げ運転を実行した場合を示している。
昼間時間帯モード３４Ａが操作手段４０で設定された場合には、深夜時間帯モード３４Ｂが設定されていても、昼間時間帯モード３４Ａが優先して行われる。
図２（ｄ）に示す運転状態Ｂでは、昼間時間帯モード３４Ａによって昼間時間帯（１２時から１５時まで）に沸き上げ運転が行われる。この昼間時間帯での沸き上げ運転によって、深夜時間帯での沸き上げ運転時間は、図２（ｃ）に示す運転状態Ａに対して短くなる。
昼間時間帯モード３４Ａと深夜時間帯モード３４Ｂとで沸き上げる湯量の配分は、使用湯量履歴に基づいて決定される。すなわち、例えば、使用湯量履歴から判断される湯量を５００Ｌとし、昼間時間帯モード３４Ａで設定された湯量を３００Ｌとすると、夜間時間帯モード３４Ｂで沸き上げる湯量を２００Ｌに決定する。
【００３２】
図２（ｅ）に示す運転状態Ｃは、昼間時間帯モード３４Ａによって設定された時間による湯量が使用湯量履歴から判断される湯量を越える場合の運転パターンを示している。
図２（ｅ）に示す運転状態Ｃでは、昼間時間帯モード３４Ａにて沸き上げる湯量を、使用湯量履歴に基づいて決定された湯量としている。すなわち、昼間時間帯モード３４Ａで設定された湯量が、使用湯量履歴から判断される湯量より多く設定された場合には、昼間時間帯モード３４Ａでは、設定された湯量ではなく、使用湯量履歴に基づいて決定された湯量とする。例えば、使用湯量履歴から判断される湯量を５００Ｌとし、昼間時間帯モード３４Ａで設定された湯量を７００Ｌとすると、昼間時間帯モード３４Ａで沸き上げる湯量を５００Ｌに決定する。
【００３３】
図２（ｆ）に示す運転状態Ｄは、昼間時間帯モード３４Ａによって設定された時間による湯量が使用湯量履歴から判断される湯量を越える場合の他の運転パターンを示している。
図２（ｆ）に示す運転状態Ｄでは、昼間時間帯モード３４Ａにて沸き上げる湯量を、使用湯量履歴に基づいて決定された湯量未満としている。すなわち、昼間時間帯モード３４Ａで設定された湯量が、使用湯量履歴から判断される湯量より多く設定された場合には、昼間時間帯モード３４Ａでは、設定された湯量ではなく、使用湯量履歴に基づいて決定された湯量未満とする。例えば、使用湯量履歴から判断される湯量を５００Ｌとし、昼間時間帯モード３４Ａで設定された湯量を７００Ｌとすると、昼間時間帯モード３４Ａで沸き上げる湯量を４００Ｌに決定し、深夜時間帯モード３４Ｂで沸き上げる湯量を１００Ｌに決定する。
【００３４】
図２（ｇ）に示す運転状態Ｅは、昼間時間帯モード３４Ａによって設定された時間による湯量が使用湯量履歴から判断される湯量を越える場合の更に他の運転パターンを示している。
図２（ｇ）に示す運転状態Ｅでは、昼間時間帯モード３４Ａにて沸き上げる湯量を、使用湯量履歴に基づいて決定された湯量としているが、深夜時間帯モード３４Ｂにおいても沸き上げ運転を行う。
図２（ｇ）に示す運転状態Ｅは、使用湯量履歴から、昼間時間帯モード３４Ａにて設定された運転開始時刻以前の昼間時間帯に給湯負荷があると判断された場合に行う運転パターンである。
すなわち、昼間時間帯モード３４Ａで設定された湯量が、使用湯量履歴から判断される湯量より多く設定された場合には、昼間時間帯モード３４Ａでは、設定された湯量ではなく、使用湯量履歴に基づいて決定された湯量とする。例えば、使用湯量履歴から判断される湯量を５００Ｌとし、昼間時間帯モード３４Ａで設定された湯量を７００Ｌとすると、昼間時間帯モード３４Ａで沸き上げる湯量を５００Ｌに決定する。更に、７時から昼間時間帯モード３４Ａにて設定された運転開始時刻である１２時までの間に、使用湯量履歴から給湯負荷があると判断されると、使用湯量履歴による７時から１２時までの給湯負荷に応じて深夜時間帯モード３４Ｂで沸き上げ運転を行う。
なお、昼間時間帯モード３４Ａにて沸き上げる湯量は、使用湯量履歴に基づいて決定される湯量未満（使用湯量履歴に基づいて決定された湯量の１００％は沸き上げない）とすることで、深夜時間帯モード３４Ｂに、必ず少量もしくは決められた湯量の沸き上げ運転を行うことで、朝から昼間までの多少の突発的な使用者の使用湯量にも湯切れすることなく対応できる。
【産業上の利用可能性】
【００３５】
本発明によれば、特に各家庭で得られる太陽光発電の電力を、蓄電することなく、自らの家庭で有効に活用できる。
【符号の説明】
【００３６】
１０  貯湯タンク
１１  沸き上げ配管
１２  給湯栓
１３  混合弁
１４  給水配管
１５  給湯配管
１６  給湯流量検知手段
２０  加熱装置
３０  制御装置
３１  タイマー手段
３２  使用湯量記憶手段
３３  運転モード判断手段
３４  沸き上げ運転モード
３４Ａ  昼間時間帯モード
３４Ｂ  深夜時間帯モード
３４Ｃ  停止モード
３４Ｄ  ピークカットモード
４０  操作手段
５１  商用電源
５２  他の機器
５３  パワーコンディショナー
５４  分電盤
６１  ネットワーク送受信機
６２  通信網
【図１】
2018189347.tif 000003
【図２】
2018189347.tif 000004